【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
芯材と、その芯材の長手方向に螺旋状に巻回された側材とからなり、前記側材に沿って蔓科植物の蔓葉を生育させるロープを壁面に沿って配設した壁面緑化システムにおいて、
前記ロープを、全体としてダイヤクロスパターンを構成するように張設したことを特徴とする壁面緑化システム。
【請求項２】
芯材と、その芯材の長手方向に螺旋状に巻回された側材とからなり、前記側材に沿って蔓科植物の蔓葉を生育させるロープを壁面に沿って配設した壁面緑化システムにおいて、
前記ロープを、所定傾斜方向に配設された第１のロープ群と、前記所定傾斜方向とは異なる傾斜方向に配設された第２のロープ群とに分けることにより、全体としてダイヤクロスパターンを構成するように張設したことを特徴とする壁面緑化システム。
【請求項３】
前記ロープは、前記芯材を含む前記側材が前記芯材の周囲から一部欠けた状態に構成されていることを特徴とする請求項１または請求項２に記載の壁面緑化システム。
【請求項４】
前記側材が前記芯材を均等に囲むように構成されていることを特徴とする請求項３に記載の壁面緑化システム。
【請求項５】
前記芯材および前記側材は、それぞれオーステナイト系ステンレス鋼製撚り線を樹脂材料によって被覆して構成されていることを特徴とする請求項３または請求項４に記載の壁面緑化システム。
【手続補正２】
【補正対象書類名】明細書
【補正対象項目名】発明の名称
【補正方法】変更
【補正の内容】
【発明の名称】壁面緑化システム
【手続補正３】
【補正対象書類名】明細書
【補正対象項目名】０００６
【補正方法】変更
【補正の内容】
【０００６】
そこで、本発明は、以上述べたことに対処するために、蔓科植物の成長特性等に適するように構成に工夫を凝らしてなる壁面緑化システムを提供することを目的とする。
【手続補正４】
【補正対象書類名】明細書
【補正対象項目名】０００７
【補正方法】変更
【補正の内容】
【０００７】
上記課題の解決にあたり、本発明の請求項１に係る壁面緑化システムは、芯材と、その芯材の長手方向に螺旋状に巻回された側材とからなり、前記側材に沿って蔓科植物の蔓葉を生育させるロープを壁面に沿って配設したものを対象として、特に、前記ロープを、全体としてダイヤクロスパターンを構成するように張設したことを特徴とする。
【手続補正５】
【補正対象書類名】明細書
【補正対象項目名】０００８
【補正方法】変更
【補正の内容】
【０００８】
また、請求項２に係る壁面緑化システムは、芯材と、その芯材の長手方向に螺旋状に巻回された側材とからなり、前記側材に沿って蔓科植物の蔓葉を生育させるロープを壁面に沿って配設したものを対象として、特に、前記ロープを、所定傾斜方向に配設された第１のロープ群と、前記所定傾斜方向とは異なる傾斜方向に配設された第２のロープ群とに分けることにより、全体としてダイヤクロスパターンを構成するように張設したことを特徴とする。
【手続補正６】
【補正対象書類名】明細書
【補正対象項目名】０００９
【補正方法】変更
【補正の内容】
【０００９】
また、請求項３に係る壁面緑化システムは、請求項１または請求項２に記載の壁面緑化システムにおいて、前記ロープが、前記芯材を含む前記側材が前記芯材の周囲から一部欠けた状態に構成されていることを特徴とする。
【手続補正７】
【補正対象書類名】明細書
【補正対象項目名】００１０
【補正方法】変更
【補正の内容】
【００１０】
また、請求項４に係る壁面緑化システムは、請求項３に記載の壁面緑化システムにおいて、前記側材が前記芯材を均等に囲むように構成されていることを特徴とする。
【手続補正８】
【補正対象書類名】明細書
【補正対象項目名】００１１
【補正方法】変更
【補正の内容】
【００１１】
さらに、請求項５に係る壁面緑化システムは、請求項３または請求項４に記載の壁面緑化システムにおいて、前記芯材および前記側材が、それぞれオーステナイト系ステンレス鋼製撚り線を樹脂材料によって被覆して構成されていることを特徴とする。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】削除
【補正の内容】
【手続補正３７】
【補正対象書類名】明細書
【補正対象項目名】００４０
【補正方法】削除
【補正の内容】
【手続補正３８】
【補正対象書類名】明細書
【補正対象項目名】００４１
【補正方法】削除
【補正の内容】